(57)【要約】【課題】従来よりも、原稿を搬送するときに原稿の斜行が生じ難いとともに、自動原稿搬送装置に受け渡すときに原稿の斜行補正を好適に行うことができる原稿搬送補助装置を提供する。【解決手段】ＡＤＦ５によるカード搬送を補助する原稿搬送補助装置１００は、カードＣの受け渡しに応じて搬出口１１５を開閉するゲート部品１２０を備えている。そして、原稿搬送機構１６０は、カードＣを押し出すことで搬送し、カード挿入口７にカードＣを受け渡すカード後端押出部品１１３を有し、開閉部品１２０は、カード載置部１１２に当接することで搬出口１１５を閉じ、カード後端押出部品１１３には、カード搬送方向のカードＣの後端部であるカード後端部を押し出す曲押出面１６３が設けられている。【選択図】図２１
2019163127.tif 000002
【特許請求の範囲】
【請求項１】
自動原稿搬送装置の給送口に受け渡す原稿を搬出する搬出口と、受け渡す原稿を前記給送口に向けて搬送する搬送手段と、受け渡す原稿を載置可能な原稿載置部とを備え、前記自動原稿搬送装置による原稿搬送を補助する原稿搬送補助装置において、
原稿の受け渡しに応じて前記搬出口を開閉する開閉部材を備え、
前記搬送手段は、原稿を押し出すことで搬送し、前記給送口に原稿を受け渡す原稿端押出部材を有し、
前記開閉部材は、前記原稿載置部に当接することで前記搬出口を閉じ、
前記原稿端押出部材には、原稿搬送方向の原稿の後端部である原稿後端部を押し出す曲面部が設けられていることを特徴とする原稿搬送補助装置。
【請求項２】
請求項１に記載の原稿搬送補助装置において、
原稿を受け渡すときに最初に当接する、前記自動原稿搬送装置の前記給送口の近傍に設けられた搬送ローラに原稿の一部分が当接した状態で、
原稿搬送方向に直交する原稿幅方向における、
前記搬送ローラと原稿の当接位置から前記曲面部の中央位置までの距離よりも、
前記原稿後端部に当接する前記曲面部の当接位置から前記曲面部の中央位置までの距離が短いことを特徴とする原稿搬送補助装置。
【請求項３】
請求項１又は２に記載の原稿搬送補助装置において、
前記曲面部は、原稿搬送方向に直交する原稿幅方向における、前記原稿載置部に積載した原稿の前記原稿後端部の略中央に前記曲面部の略中央が当接するように構成されていることを特徴とする原稿搬送補助装置。
【請求項４】
請求項１乃至３のいずれか一に記載の原稿搬送補助装置において、
前記給送口は、前記自動原稿搬送装置の搬送経路の中途部近傍に設けられ、
前記原稿載置部の原稿搬送面に向けて原稿を加圧する加圧機構を備えていることを特徴とする原稿搬送補助装置。
【請求項５】
請求項１乃至４のいずれか一に記載の原稿搬送補助装置において、
原稿を原稿搬送方向に押し出すときの力を与えるために操作者が操作して移動させる原稿搬送用レバーを含む第一部品と、原稿を押し出すときに移動する前記原稿端押出部材を含む第二部品とは別部品で構成され、
前記第二部品は、原稿搬送方向に直交する原稿幅方向における、前記原稿端押出部材の略中央に設けられる弾性部材を介して、前記第一部品及び他の部品に当接するように配置され、
前記第一部品と前記第二部品の移動方向は、ガイド部材で原稿搬送方向に規制されており、
前記第二部品は、前記ガイド部材との間に前記第二部品の回動を許容する程度の隙間が形成されていることを特徴とする原稿搬送補助装置。
【請求項６】
請求項５に記載の原稿搬送補助装置において、
前記弾性部材は、圧縮ばねであることを特徴とする原稿搬送補助装置。
【請求項７】
請求項１乃至６のいずれか一に記載の原稿搬送補助装置において、
前記原稿端押出部材に設けられた前記曲面部は、該曲面部から原稿搬送方向への下り勾配がついた傾斜面部に対して、略直交する角度、又は前記傾斜面部から９０[°]未満の角度に形成されており、
当該原稿搬送補助装置で原稿を搬送する原稿搬送面に対する、前記傾斜面部と前記曲面部の間の稜線の少なくとも一部分の高さ位置は、原稿載置面よりも高いことを特徴とする原稿搬送補助装置。
【請求項８】
請求項１乃至７のいずれか一に記載の原稿搬送補助装置において、
当該原稿搬送補助装置で原稿を搬送する原稿搬送面に対する、原稿の搬送高さ位置は、
前記自動原稿搬送装置の前記給送口の近傍に配置されている搬送ローラ対のニップ部の高さ位置と、前記原稿端押出部材に設けられた前記曲面部の根元の高さ位置との間にあることを特徴とする原稿搬送補助装置。
【請求項９】
請求項１乃至８のいずれか一に記載の原稿搬送補助装置において、
搬送する原稿が樹脂製のカードであることを特徴とする原稿搬送補助装置。
【請求項１０】
請求項１乃至９のいずれか一に記載の原稿搬送補助装置において、
搬送する原稿の厚さが０．４８[ｍｍ]以上０．７８[ｍｍ]以下であることを特徴とする原稿搬送補助装置。
【請求項１１】
請求項１乃至１０のいずれか一に記載の原稿搬送補助装置において、
搬送する原稿の縦と横の寸法が、それぞれ５３．９８［ｍｍ］と８５．６０［ｍｍ］であることを特徴とする原稿搬送補助装置。
【請求項１２】
請求項１乃至１１のいずれか一に記載の原稿搬送補助装置において、
搬送する原稿が「キャリアシート」、「プラスチックカード」、「はがき」、「封筒」、「帳票」、「クリアファイル」、及び「名刺」の少なくともいずれかであることを特徴とする原稿搬送補助装置。
【請求項１３】
請求項１乃至１２のいずれか一に記載の原稿搬送補助装置において、
前記自動原稿搬送装置に対して着脱可能に構成されていることを特徴とする原稿搬送補助装置。
【請求項１４】
搬送経路の中途部近傍に設けられた給送口に向けて原稿を搬送する原稿搬送補助手段を備える自動原稿搬送装置において、
前記原稿搬送補助手段として、請求項１乃至１３のいずれか一に記載の原稿搬送補助装置を備えることを特徴とする自動原稿搬送装置。
【請求項１５】
搬送経路の中途部近傍に設けられた給送口に向けて原稿を搬送する原稿搬送補助手段を備えた原稿読取装置において、
前記原稿搬送補助手段として、請求項１乃至１３のいずれか一に記載の原稿搬送補助装置を備えることを特徴とする原稿読取装置。
【請求項１６】
搬送経路の中途部近傍に設けられた給送口に向けて原稿を搬送する原稿搬送補助手段を備える画像形成装置において、
前記原稿搬送補助手段として、請求項１乃至１３のいずれか一に記載の原稿搬送補助装置を設ける自動原稿搬送装置を備えることを特徴とする画像形成装置。
【発明の詳細な説明】
【技術分野】
【０００１】
本発明は、原稿搬送補助装置、自動原稿搬送装置、原稿読取装置、及び画像形成装置に関するものである。
【背景技術】
【０００２】
従来から、自動原稿搬送装置の給送口に受け渡す原稿を搬出する搬出口と、受け渡す原稿を前記給送口に向けて搬送する搬送手段と、受け渡す原稿を載置可能な原稿載置部とを備え、前記自動原稿搬送装置による原稿搬送を補助する原稿搬送補助装置が知られている。
例えば、特許文献１には、カードなどの折り曲げにくい原稿を搬送可能で、原稿搬送補助装置に適用可能な、次のような搬送積載装置（カード処理装置）が記載されている。
【０００３】
原稿（カード）を原稿載置部（カードスタッカ）に積載（収容）するための給送口と、原稿を外部に搬出する搬出口とを兼用する給送排出口（カード挿入排出口）を備え、原稿搬送面から原稿の厚さ方向に重ねるようにして原稿を原稿載置部に積載するものである。
そして、給送排出口と原稿載置部との間で原稿を搬送する搬送手段として、給送排出口に近い側の第一搬送ローラと、原稿載置部に対向する第二搬送ローラと、原稿載置部に積載した原稿搬送面にある原稿を分離して押し出す原稿端押出部材を備えている。
また、原稿搬送面に対して接離方向に移動可能な原稿押上げ部材と、これを原稿搬送面に向けて付勢する付勢部材と、原稿搬送面から原稿押上げ部材側へ少なくとも原稿１枚分の厚さだけ突出した原稿押下げ位置までの間を移動可能な押下げ部材も備えている。
そして、押下げ部材が突出すると、積載した原稿と原稿搬送面との間に、給送排出口側から原稿を送り込むための隙間が形成されるように構成されている。
このように構成することで、積載済みの原稿を原稿搬送面から離れる方向に退避させる機構を少ない部品点数で構成でき、その設置スペースも少なくて済むので、搬送積載装置の小型化に極めて有利であるとされている。
【発明の概要】
【発明が解決しようとする課題】
【０００４】
しかしながら、従来の搬送積載装置の構成を適用した原稿搬送補助装置では、原稿を搬送するときに原稿の斜行（スキュー）が生じ易いとともに、自動原稿搬送装置に受け渡すときに原稿の斜行補正（スキュー補正）も十分に行うことができないとう問題があった。
【課題を解決するための手段】
【０００５】
上述した課題を解決するために、請求項１に記載の発明は、自動原稿搬送装置の給送口に受け渡す原稿を搬出する搬出口と、受け渡す原稿を前記給送口に向けて搬送する搬送手段と、受け渡す原稿を載置可能な原稿載置部とを備え、前記自動原稿搬送装置による原稿搬送を補助する原稿搬送補助装置において、原稿の受け渡しに応じて前記搬出口を開閉する開閉部材を備え、前記搬送手段は、原稿を押し出すことで搬送し、前記給送口に原稿を受け渡す原稿端押出部材を有し、前記開閉部材は、前記原稿載置部に当接することで前記搬出口を閉じ、前記原稿端押出部材には、原稿の原稿搬送方向後端を押し出す曲面部が設けられていることを特徴とする。
【発明の効果】
【０００６】
本発明によれば、従来よりも、原稿を搬送するときに原稿の斜行が生じ難いとともに、自動原稿搬送装置に受け渡すときに原稿の斜行補正を好適に行うことができる原稿搬送補助装置を提供できる。
【図面の簡単な説明】
【０００７】
【図１】一実施形態に係る複写機の概略構成図。
【図２】画像形成装置に備えた読取装置の基本構成の概略構成図。
【図３】カード挿入口、及び手差しトレイの説明図。
【図４】原稿搬送補助装置を設けずにカードをカード挿入口や手差しトレイにユーザが手動で載置しつつ搬送する構成の説明図。
【図５】原稿搬送補助装置に適用可能な、従来の搬送積載装置の不具合の説明図。
【図６】原稿搬送補助装置を用いない従来の構成で原稿をローラに当接させるときの説明図。
【図７】ユーザが手動で操作する大きい原稿押出面を設けた原稿搬送補助装置で原稿を搬送し、原稿をローラに当接させるときの説明図。
【図８】実施例１に係る、ユーザがＡＤＦに取り付けられた原稿搬送補助装置にカードを載置して、手動で搬送する構成の斜視説明図。
【図９】原稿搬送補助装置１００をＡＤＦ５に取り付けた断面説明図。
【図１０】原稿搬送補助装置の基本的な構成と、ＡＤＦとの位置関係についての説明図。
【図１１】原稿搬送補助装置によるカードの搬送手順の説明図。
【図１２】積載ケースに設けたカードの底面へのアクセス用の孔部の説明図。
【図１３】加圧機構の概要についての説明図。
【図１４】加圧機構でカード又はカード束を加圧するときの手順の説明図。
【図１５】カードを搬送するときの操作の流れについての説明図。
【図１６】原稿搬送補助装置によるカードＣの分離機構の説明図。
【図１７】複数枚のカードを積載したときの２枚目のカードに発生する力の説明図。
【図１８】小押出面１６３ｂを用いた構成の説明図。
【図１９】小押出面の中央位置とカードの後端部中央位置を一致させる構成の説明図。
【図２０】小押出面に押し出されたカードがＡＤＦ内の片方の搬送ローラに当接するときの主走査方向における、小押出面の中央位置と、搬送ローラにカードが最初に当接するローラ当接位置との位置関係の説明図。
【図２１】カードを押し出す押出面を曲面形状とした構成の説明図。
【図２２】弾性部材を設けてカード後端面に合わせて小押出面を回動させる構成の説明図。
【図２３】実施例２に係る、カードを押し出す押出面の高さａと、カード先後端部の反り量ｂの関係の説明図。
【図２４】カードＣを載置する載置面が曲押出面の高さ基準となり、曲押出面が載置面に対して直交する従来の構成の説明図。
【図２５】本実施例に係る、カード載置面が傾斜面基準、曲押出面がカード載置面に対して９０［°］以下とした構成の断面説明図。
【図２６】カードをＡＤＦの搬送ローラのニップ部に搬送するときの、曲押出面側でのカード（原稿）搬送高さ位置と、ニップ部Ｎの高さ位置の説明図。
【発明を実施するための形態】
【０００８】
以下、本発明を適用した原稿搬送補助装置１００を取り付けた自動原稿搬送装置（以下、単に「ＡＤＦ」とも称する。）を備えた画像形成装置として、電子写真方式の複写機（以下、複写機１という）の一実施形態について説明する。
図１は、本実施形態に係る複写機１の概略構成図である。
本実施形態の複写機１は、主に、画像形成部３と、画像読取部４と、ＡＤＦ５とから構成されている。本実施形態の読取装置６は、主に、画像読取部４とＡＤＦ５とから構成されている。
【０００９】
本実施形態の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。なお、インクジェット方式などの他の方式の画像形成装置であっても良い。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、画像形成装置に備えた読取装置６の基本構成の概略構成図である。そして、図２（ａ）がフラットベッドスキャナモードと、ＤＦスキャナモードの原稿トレイ５１（原稿テーブル）上に積載された原稿束を読み取る１パス両面同時読取の概要説明図、図２（ｂ）がＤＦスキャナモードの１パス両面同時読取の概要説明図である。
読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
また、ＤＦスキャナモードには、原稿トレイ５１上に積載された原稿束を読み取る１パス両面同時読み取りと、手差しトレイ（手差しテーブル）６１上に積載（載置）したカード原稿等（以下、適宜、カードＣという。）の折り曲げられないシート原稿Ｓを搬送するストレート搬送して読み取るストレート１枚手差し読み取りがある。
【００１２】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
ここで、原稿画像を読み取るときには、図中左よりに移動している表面読取用ＣＩＳ４５ａがフラットベッドコンタクトガラス４１下をガイド４６にガイドされて移動することで読み取りが行われる。
【００１３】
また、ＤＦスキャナモードの、シート載置台である原稿トレイ５１上に積載された原稿束を読み取る１パス両面同時読取においては、次のように読取が行われる。
ＡＤＦ５は、エンドフェンスにより幅方向が規制された原稿トレイ５１上に積載された原稿束からシート原稿Ｓを１枚ずつ、第一給送口５２の入口に配置された給紙・分離機構５４で分離して原稿搬送経路５５内に搬入し、原稿搬送経路５５に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１４】
具体的には、まず、原稿トレイ５１に原稿を載置し、シート原稿Ｓを第一センサ５３が検知する。操作パネル２００でスキャンを選択することで給紙・分離機構５４により原稿トレイ５１に載置された原稿から最上位のシート原稿Ｓが呼び出され、シート原稿Ｓは１枚に分離されローラで搬送される。第一原稿搬送機構２０３及び第二原稿搬送機構２０４で原稿が搬送されつつ、表面読取用ＣＩＳ４５ａと裏面読取用ＣＩＳ４５ｂで画像が読取られ、第三原稿搬送機構２０５で搬送され、最終的に排紙トレイ５６上に原稿が排紙される。
【００１５】
一方、ＤＦスキャナモードの、手差しトレイ６１上に積載したカードＣ等の折り曲げられないシート原稿Ｓを搬送するストレート搬送して読み取るストレート１枚手差し読取においては、次のように読取が行われる。
ＡＤＦ５は、原稿搬送経路５５の中途部近傍に開閉可能に設けられた手差しトレイ６１上に積載されたカードＣ等の折り曲げられないシート原稿Ｓを手差し給送口６２から手差し原稿搬送経路６４内に搬入し、手差し原稿搬送経路６４（原稿搬送経路５５の中途部の原稿搬送方向下流側の略同一平面上にあるストレート部分）に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１６】
具体的には、まず、手差しトレイ６１上の原稿を手差し給送口６２に挿入することで手差し検知センサ６３が原稿を検知する。その約１秒後に第二原稿搬送機構２０４のローラが微小量回転し、原稿がニップ部で挟持され、原稿がプレフィードされる。そして、操作パネル２００でスキャンを選択することで第二原稿搬送機構２０４が回転し原稿を送る。表面読取用ＣＩＳ４５ａと裏面読取用ＣＩＳ４５ｂで原稿の両面が読取られた後、第三原稿搬送機構２０５で原稿が搬送され、排紙トレイ５６上に原稿が排紙される。
また、手差しトレイ６１には、図１の斜視図に示すように手差しトレイ６１を閉じた状態でもカードＣ等を挿入するためのカード挿入口７を設けており、手差しトレイ６１を開けなくてもカードＣ等を搬送することが可能に構成されている。
【００１７】
ここで、病院で診察券の更新や診察券の新規発行の際に患者が列をなして並ぶほど混雑することがよくあり、混雑解消のため病院側で診察券や身分証明書等、複数のプラスチックカード（以下、カード）を短い時間でスキャンしたいというニーズがある。このようなニーズがあるにも関わらず、従来のＡＤＦではユーザが１枚ずつ原稿を手差し入口にカードを挿入し、１回スキャンするごとに「スキャンスタートボタン」を押さなければならず、複数のカードを短い時間でスキャンできないという問題があった。
ドキュメントスキャナであれば５枚程度であればカードを連続スキャンできる機種もあるが、５枚程度では効果が薄いと考えられるとともに、ドキュメントスキャナはスキャン機能しか有しておらず、ＡＤＦの機能を持ち合わせいるとはいい難い。
つまり、従来のＡＤＦをでは十分に多い枚数のカードを短い時間でスキャンできないという問題があった。
【００１８】
そして、特に医療系業務での、診察券や身分証明書などのプラスチックカードのスキャンのニーズを受け、発明者は、次の２つのコンセプトで開発を行っていた。
（１）「ストレート１枚手差し通紙」機能
大事な原稿を曲げずにスキャンできる。つまり、原稿搬送時に手差しトレイのサイドフェンスを用いることで原稿が傾くことなくスキャンできる点。
（２）「１パス両面同時読取」機能
曲がらない原稿でも、フラットベッドコンタクトガラスを露出させるために圧板を開けずに、１回で両面スキャンできる点。
【００１９】
ここで、上記「（１）」に関して、従来の構成を、図を用いて説明しておく。
図３は、カード挿入口７、及び手差しトレイ６１の説明図であり、図３（ａ）がカード挿入口７の説明図、図３（ｂ）が手差しトレイ６１の説明図である。図４は、原稿搬送補助装置１００を設けずにカードＣをカード挿入口７や手差しトレイ６１にユーザが手動で載置しつつ搬送する構成の説明図である。そして、図４（ａ）がカード挿入口７にユーザが手動でカードＣをカード挿入口７に挿入（搬送）する構成の説明図、図４（ｂ）が手差しトレイ６１にユーザが手動でカードＣを載置して搬送する構成の説明図である。
【００２０】
カードＣ等をスキャンする従来の方法には次の二通りがある。
（１−１）
図３（ａ）に示すように手差しトレイ６１を開けずに、カードＣを手差しトレイ６１に設けたカード挿入口７に挿入する方法であり、図４（ａ）に示すようにユーザが手動でカードＣをカード挿入口７に挿入（搬送）する。
（１−２）
図３（ｂ）に示すように、手差しトレイ６１を開けて、サイドフェンスを原稿の大きさに調整してからカードＣを挿入口に挿入する方法であり、図４（ｂ）に示すようにユーザが手動で手差しトレイ６１にカードＣを載置して搬送する。
【００２１】
しかし、図３を用いて説明したいずれも方法でも、十分に多い枚数のカードＣを短い時間でスキャンできないという問題は解決できない。
そこで、特許文献１に記載された搬送積載装置（カード処理装置）の構成を適用した原稿搬送補助装置１００ａをカード挿入口７に接続した場合、十分に多い枚数のカードを短い時間でスキャンできるものの、次のような問題が生じることが分かった。
従来の搬送積載装置の構成を適用した原稿搬送補助装置１００ａでは、カードＣ７を搬送するときにカードＣ７の斜行が生じ易いとともに、ＡＤＦ５に受け渡すときにカードＣ７の斜行補正も十分に行うことができないという問題である。
【００２２】
上述したような問題が生じる理由について、図５を用いて説明する。
図５は、従来の構成を適用した場合の原稿搬送補助装置１００ａの不具合の説明図である。
ここで、図５に示した構成、符号、及び原稿搬送補助装置１００ａの説明に用いる部材名称等は、特許文献１で使用されているものとは異ならせている。
【００２３】
図５に示すように、原稿搬送補助装置１００ａは、カード積載部１７０ａの加圧板１１８に積載したカードＣ７の搬出口側近傍とカード挿入排出口１１５ａの間に、２つの搬送ローラ１９０ａを配置している。また、カードＣ’をＡＤＦ５の給送口に受け渡すカード挿入排出口１１５ａからカード積載部１７０ａが離れて配置されている。
このため、カードＣ’をカード挿入排出口１１５ａまで２つの搬送ローラ１９０ａで搬送するときに、カードＣ’に斜行（スキュー）が生じ易い。
また、給送口に受け渡すときに、少なくともカード挿入排出口１１５ａ側の搬送ローラ１９０ａと、これに対向する対向ローラ１９１ｂとでカードＣ’を挟持する。このため、受け渡されたカードＣ’が最初に当接するＡＤＦ５の搬送ローラに、受け渡されるカードＣ’が当接しても、カードＣ’の斜行が補正され難い。
【００２４】
これらのため、従来の搬送積載装置の構成を適用した原稿搬送補助装置１００ａでは、カードＣ’を搬送するときにカードＣ’の斜行が生じ易いとともに、ＡＤＦ５に受け渡すときにカードＣ’の斜行補正（スキュー補正）も十分に行うことができないとう問題があった。
【００２５】
ここで、上述した従来の搬送積載装置の構成を適用した原稿搬送補助装置１００ａを用いずに、ＡＤＦ５に備えた手差しトレイ６１に設けたカード挿入口７へユーザが手動でカードＣを挿入するときに補正される斜行について、図を用いて説明しておく。
図６は、原稿搬送補助装置を用いない従来の構成で原稿をローラに当接させるときの説明図であり、図６（ａ）が、斜行したカードＣが最初にＡＤＦ５の搬送ローラ（搬送コロ）２０７ｂに当接したときの状態を示している。また、図６（ｂ）が、斜行したカードＣが他の搬送ローラ２０７ｂにも当接してカードＣの斜行が補正された状態を示し、図６（ｃ）が、斜行が補正されるときにカードＣに加わる力の説明図である。
【００２６】
図６（ａ）に示すようにユーザが手で自動原稿送り装置の手差し入口に原稿を挿入し、手差し入口ローラに原稿先端を突き当てる。このときカードＣは固定されておらず自由であるため、たとえ図６（ａ）に示すようにカードＣが斜めにカード挿入口７に差し込まれて片側の搬送ローラ２０７ｂにしか当接しなかったとする。
このように当接した場合であっても、その後、図６（ｂ）や図６（ｃ）に示すように、手の搬送力と搬送ローラ２０７ｂの反力で、図中、右回転（時計回り）のモーメントによりカードＣが回転し真直ぐになり斜行が補正される。そして、両方の搬送ローラ２０７ｂに当接させることができるので問題ない。
【００２７】
また、上述した従来の搬送積載装置の構成を適用した原稿搬送補助装置１００ａを用いずに、ＡＤＦ５に備えた手差しトレイ６１に設けたカード挿入口７へユーザが手動で操作する原稿搬送補助装置を用いた場合に生じる斜行について、図を用いて説明しておく。
図７は、ユーザが手動で操作する大きい原稿押出面である大押出面１６３ａを設けた原稿搬送補助装置でカードＣを搬送し、カードＣを搬送ローラ２０９ｂに当接させるときの説明図であり、図７（ａ）が、斜行したカードＣが最初にＡＤＦ５の搬送ローラ２０７ｂに当接したときの状態を示している。また、図７（ｂ）が、カードＣが斜行したまま他の搬送ローラ２０７ｂにも当接した状態を示し、図７（ｃ）が、最初に一方の搬送ローラに当接したときに斜行したカードＣに加わる力の説明図である。
【００２８】
ユーザが手動で操作する原稿搬送補助装置を用いる構成では、次のようにカードＣが搬送される。
ユーザがカード搬送用レバー等を移動させ、それに連動してカードＣを押し出す大押出面１６３ａがカードＣの後端部を押出して、図７（ａ）に示すようにＡＤＦ５の搬送ローラ２０７ａの片方にカード先端を突き当てる。
このとき、図７（ａ）に示すように、カードＣが斜行した状態で給送口に搬送され、片側の搬送ローラ（搬送コロ）２０７ｂしか当接しないと、大押出面１６３ａが主走査方向に十分に大きい場合では押出力は搬送ローラ２０７ｂの反力に対して図７（ｃ）のように右回転と左回転と両方の回転モーメントが発生する。このため、お互いが相殺するのでカードＣが回転しないまま、図７（ｂ）に示すようにＡＤＦ５内を搬送される恐れがある。
以下、上述した従来の搬送積載装置の構成を適用した原稿搬送補助装置１００ａの問題や、ユーザが手動で操作する原稿搬送補助装置を用いる構成でのカードＣの斜行に関する問題を解決するための構成について、複数の実施例を挙げて説明する。
【００２９】
（実施例１）
まず、本実施形態のＡＤＦ５（読取装置６）の原稿搬送経路５５の中途部近傍に設けられたカード挿入口７に向けてカードＣを搬送する原稿搬送補助装置１００の実施例１について、図を用いて説明する。
図８は、本実施例に係る、ユーザがＡＤＦ５に取り付けられた原稿搬送補助装置１００にカードＣを載置して、手動で搬送する構成の斜視説明図である。そして、図８（ａ）が原稿搬送補助装置１００に設けたカード積載部１１２の載置面にカードＣを載置する前の説明図、図８（ｂ）がカード積載部１１２の載置面にカードＣを載置して加圧した後にユーザが搬送するときの説明図である。図９は、原稿搬送補助装置１００をＡＤＦ５に取り付けた断面説明図である。
【００３０】
図８（ａ）、図８（ｂ）の斜視説明図に示すように、本実施例の原稿搬送補助装置１００は、ＡＤＦ５の手差しトレイ６１を閉じた状態のカード挿入口７と、カードの搬位置（搬出口１１５）との位置が一致するようにＡＤＦ５（手差しトレイ６１）に取り付けられる。
そして、図８（ａ）に示すように、取り付けられた状態の原稿搬送補助装置１００の加圧機構１０１を積載ケース１０２から回動するようにして開き、カードＣを積載するカード積載部１１２の載置面を露出させ、所望する枚数のカードＣを積載する。その後、加圧機構１０１を回動させて閉じてカードＣを加圧した後、ユーザが最下方に積載されたカードＣを搬送させるためにカード搬送用レバー１１１（カード後端押出部品１１３）をＡＤＦ５側にスライドさせる。
【００３１】
また、このようにしてカードＣを搬送するとき、図９に示すように閉じた手差しトレイ６１のカード挿入口７が、原稿搬送補助装置１００でカードＣを搬送する給送口となる。
また、図９に示すように、ＡＤＦ５（カード挿入口７）に取り付けられた原稿搬送補助装置１００の積載ケース１０２は、搬送経路下流に従い高くなるように傾斜した略直線形状の搬送経路を有する。積載ケース１０２はこの搬送経路入口に、カードＣを連続的に搬送できる機能を有するため、図９に示すように原稿搬送補助装置１００はＡＤＦ５の手差し原稿搬送経路６４と同様の傾斜を持つ直線形状の搬送経路を有している。
そして、原稿搬送補助装置１００の搬出口１１５の位置と（図１０参照）、ＡＤＦ５の手差しトレイ６１を閉じた状態の搬送入口であるカード挿入口７の位置とが一致するように取り付けられる。
【００３２】
次に、原稿搬送補助装置１００の基本的な構成と、ＡＤＦ５（読取装置６）との位置関係について、図を用いて説明する。
図１０は、原稿搬送補助装置１００の基本的な構成と、ＡＤＦ５との位置関係についての説明図である。そして、図１０（ａ）が原稿搬送補助装置１００の基本的な構成の説明図、図１０（ｂ）がＡＤＦ５における主走査方向と副走査方向の説明図、図１０（ｃ）が原稿搬送補助装置１００における主走査方向と副走査方向の説明図である。
図１１は、原稿搬送補助装置１００によるカードＣの搬送手順の説明図であり、図１１（ａ）が、カード積載部１１２の載置面１０５を露出させた状態、図１１（ｂ）がカードＣを積載した状態、図１１（ｃ）が積載したカードＣを加圧した状態を示している。そして、図１１（ｄ）がカード搬送用レバー１１１をスライドさせて（動かして）カードＣをガイド部１３０に設けた搬出口１１５から搬出している状態を示している。
【００３３】
原稿搬送補助装置１００は、図１０（ａ）に示すようにカードＣを積載するカード積載部１１２を有する積載ケース１０２と、積載ケース１０２に対して開閉するように回動可能に支持された加圧機構１０１を備える。
また、カードＣを搬送方向に押出すカード後端押出部品１１３と、これを移動させるためにユーザが把持してスライドさせるカード搬送用レバー１１１と、閉じた加圧機構１０１のロックを解除する加圧機構解除ボタン１１４も備える。
また、積載ケース１０２の原稿搬送方向であるカード搬送方向の下流側には、カードＣが搬出される搬出口１１５が設けられるとともに、搬出口１１５を開閉するゲート部品１２０の開閉をガイド（案内）するガイド部１３０が形成されている。このガイド部１３０には、搬送されるカードＣが通る矩形の搬出口１１５が形成されており、カード積載部１１２の載置面１０５が搬出口１１５の下部と略同一面となるように構成されている。
そして、加圧機構１０１には、閉じられたときにカード積載部１１２の載置面１０５に積載されたカードＣを加圧する加圧板１１８を有している。
【００３４】
また、ＡＤＦ５（読取装置６）における主走査方向と副走査方向は、図１０（ｂ）に示すように、閉じた手差しトレイ６１のカード挿入口７からカードＣを挿入する搬送方向が副走査方向であり、この副走査に直行する原稿幅方向が主走査方向である。いいかえると、カード挿入口７から挿入するカードＣの搬送方向が副走査方向、カードＣの幅方向が主走査方向に該当する。
一方、これらの方向を、ＡＤＦ５に取り付けられた原稿搬送補助装置１００にあてはめると、カード搬送用レバー１１１をスライドさせて移動してカードＣを押出すカード後端押出部品１１３の移動方向やカードＣの搬送方向が副走査方向に相当する。また、カード積載部１１２の載置面１０５に平行、且つカードＣの搬送方向に直行する方向が主走査方向に相当する。
【００３５】
原稿搬送補助装置１００によるカードＣの搬送手順は、まず、図１１（ａ）に示すように加圧機構１０１を回動させて開いてカード積載部１１２の載置面１０５を露出させた後、図１１（ｂ）に示すように露出したカード積載部１１２の載置面１０５にカードＣを積載する。カードＣを積載したら、図１１（ｃ）に示すように加圧機構１０１を閉じてカードＣを加圧する。その後、図１１（ｄ）に示すようにカード搬送用レバー１１１をスライドさせてカードＣをガイド部１３０に設けた搬出口１１５から搬出する。
【００３６】
次に、積載ケース１０２内に積載したカードＣへのアクセス性について、図１２を用いて説明する。
図１２は、積載ケース１０２に設けたカードＣの底面へのアクセス用の孔部１０９の説明図であり、図１２（ａ）が上方からの斜視説明図、図１２（ｂ）が下方からの斜視説明図である。
複数枚のカードＣを束（以下、適宜、カード束という。）として積載（セット）し、順次カードＣを搬送して読み取っている途中で、カード搬送を止めて積載ケース１０２に残っているカード束を取り出したいときがある。
このようなときに、詳しくは後述するテーパ形状だけではカードＣと積載ケース１０２の内側面の隙間では指を入れられるスペースがなく、非常にカードＣを取り出しづらい。
そこで、図１２（ａ）、図１２（ｂ）に示すように、カード底面部にアクセスできるよう積載ケース１０２に孔部１０９を設けることで、カード束の底面を指で支えて簡単にカード束を取り出すことができる。
【００３７】
次に、加圧機構１０１の概要について、図１３を用いて説明する。
図１３は、加圧機構１０１の概要についての説明図であり、図１３（ａ）が複数枚のカードＣ、例えば１０枚のカードを加圧機構１０１で加圧した状態を示し、図１３（ｂ）が１枚のカードＣを加圧機構１０１で加圧した状態を示している。図１４は、加圧機構１０１でカードＣ又はカード束を加圧するときの手順の説明図であり、図１４（ａ）がカード束等をセットするときの説明図で、図１４（ｂ）がセット後加圧した状態を示している。
【００３８】
反ったカードでも搬送できるようにするため、図１３（ａ）、図１３（ｂ）に示すようにカード束を上から押さえつけて反りを低減し、問題なくカードＣを搬送するための機構として、加圧機構１０１を追加した。
このようにカードＣを、その厚さ方向に加圧するための加圧機構１０１を有することで、反ったカードでも加圧機構１０１で厚さ方向に加圧することによって反りを小さくでき、搬送することができる。
また、加圧するとき、カード束の厚さが異なっても押さえ力を保つために加圧圧縮バネ１７２を加圧機構１０１の内部に設置することで、カード束の厚さに応じて加圧板１１８が上下できるようにしている。
【００３９】
つまり、カードＣを押圧する加圧板１１８は、積載されているカードＣの最上面に当接し、且つ積載されているカードＣの厚さに応じて、カードＣの厚さ方向に移動可能に構成されている。
このように構成することで、カードＣが搬送もしくは新たに追加され、積載されたカードＣの厚さが変化しても加圧できる。
また、カードＣを加圧する加圧力として加圧圧縮バネ１７２の弾性力を用いている。
このように構成することで、単純な構成で積載したカードＣに応じて厚さ方向に可動、且つ加圧できるため、コストが安く済み、レイアウト性が良くなる。
【００４０】
また、加圧機構１０１は、加圧機能を有する少なくとも１つの加圧板支持部材１７１と、加圧板支持部材１７１の変位方向をカードＣの厚さ方向に規制する加圧カイド部１７３を有しており、加圧板支持部材１７１と加圧カイド部１７３の摺動部分はＰＯＭ材料で構成されている。
このように構成することで、摺動性の良いＰＯＭ材料を用いることで変位時の抵抗を小さくすることができ、加圧動作を安定的に行うことができる。
【００４１】
操作手順としては、図１４（ａ）、図１４（ｂ）に示すように加圧機構１０１が開いた状態でカード束をケースに積載（セット）し、加圧機構１０１を手動で閉じてカード束を加圧させ、任意の枚数カのードを搬送する。その後、加圧機構１０１による加圧を解除するときには加圧機構解除ボタン１１４を押すとねじりコイルばねにより加圧機構１０１が自動的に開き、再び開いた状態に戻る。
【００４２】
次に、カード搬送機構について、図１５を用いて説明する。
図１５は、カードを搬送するときの操作の流れについての説明図であり、図１５（ａ）が、カード搬送用レバー１１１がホームポジション（以下、適宜、ＨＰという。）にある状態を示している。そして、図１５（ｂ）がカード搬送用レバー１１１を移動させてカードＣの搬送を行っている状態を、図１５（ｂ）がカードＣの搬送後、カード搬送用レバー１１１がＨＰに戻っている状態を示している。
【００４３】
カードＣを搬送する一連の動作としては、図１５（ａ）に示すようにユーザがカード搬送用レバー１１１を動かし、それに伴って、カードを押し出す押出面を含むカード後端押出部品１１３が連動し、カード後端を面で押すことでカードＣを搬送する。カード搬送用レバー１１１を最大まで移動させた後、手を離すとばねにより自動でカード搬送用レバー１１１がホームポジションまで戻る。
ここで、上述した一連の動作の間は加圧機構１０１が閉じているが、図１５では分かり易くするために加圧機構１０１は省略している。
また、カードスタックケースのカード出口はＡＤＦ５内部の手差し原稿入口に繋がっており、積載ケース１０２内で搬送されたカードＣはＡＤＦ５内の手差し入口コロのニップにカード先端を押し付けられ、その後ＡＤＦ５本体内でカードＣがプレフィードされる。
【００４４】
次に、開閉するゲート部品１２０等を備えた開閉機構（シャッター）によるカードの分離機構について、図１６を用いて説明する。
図１６は、原稿搬送補助装置１００によるカードＣの分離機構の説明図であり、図１６（ａ）は加圧機構１０１が開いた状態の斜視説明図、図１６（ｂ）と図１６（ｃ）は１枚のカードＣを載置した場合の説明図である。そして、図１６（ｄ）と図１６（ｅ）は複数枚のカードＣを積載した場合の説明図である。図１７は、複数枚のカードＣを積載したときの２枚目のカードに発生する力の説明図である。
【００４５】
本実施例の原稿搬送補助装置１００では、様々なカード厚さに対応するため、図１６（ａ）〜図１６（ｅ）に示すようにカードＣの搬送力によりカードＣがゲート部品１２０を押し上げて開くようにした。また、ゲート部品１２０の上部には圧縮バネ１４０を設けており、カードＣがゲート部品１２０を押し上げてゲート部品１２０を開けると閉まり力が発生するように構成した。
【００４６】
具体的には、図１６（ｂ）、図１６（ｃ）に示すようにカード積載部１１２の載置面１０５に１枚だけカードＣを載置して図中矢印方向に搬送すると、カードＣの先端が、ゲート部品１２０の斜めの面取り形状が施された第二面１２２に当接する。この当接の分力により、ゲート部品１２０が押し上げられて図中斜め上方向に上昇してゲートが開く。
ここで、カードＣがゲート部品１２０に当接するまでは、ゲート部品１２０は、その自重と、圧縮バネ１４０の付勢力により、載置面１０５に平行な第一面１２１がカード積載部１１２の載置面１０５に当接して閉じている。
【００４７】
一方、図１６（ｄ）、図１６（ｅ）に示すようにカード積載部１１２の載置面１０５に複数枚のカードＣを載置して図中矢印方向に搬送すると、まず１枚目のカードＣの先端が、ゲート部品１２０の斜めの隅切り部である第二面１２２に当接し、ゲート部品１２０が上昇する。
但し、最下部の１枚目のカードＣを搬送するときに、そのすぐ上に重なっている２枚目のカードに１枚目のカードＣとの摩擦力が発生するため１枚目のカードＣと連動して２枚目のカードも一緒にゲート部品１２０を押し上げて搬送して、重送を起こす可能性がある。
この重送を防ぐため、本実施例では、図１７に示すように、ゲート部品１２０の閉まり力の設計値は”２枚目のカードの１枚目のカードＣとの摩擦力の分力である０．０８Ｎ”を超えるように、ゲート部品１２０の閉まる力を公差も含めて０．２Ｎとした。
【００４８】
次に、カード後端押出部品１１３のカードを押し出す押出面として、カードＣの後端部の一部にしか当接しない小さな小押出面１６３ｂを設けた例について、図を用いて説明する。
図１８は、小押出面１６３ｂを用いた構成の説明図であり、図１８（ａ）が、斜行したカードＣがＡＤＦ５内の片方の搬送ローラ２０７ｂに当接したときの状態を示している。また、図１８（ｂ）が、斜行補正されたカードＣがＡＤＦ５内の両方の搬送ローラ２０７ｂに当接した状態を示し、図１８（ｃ）が、斜行したカードＣがＡＤＦ５内の片方の搬送ローラ２０７ｂに当接したときに、カードＣに加わる力の説明図である。
【００４９】
図１９は、小押出面１６３ｂの中央位置とカードＣの後端部中央位置を一致させる構成の説明図であり、図１９（ａ）が、斜行したカードＣがＡＤＦ５内の片方の搬送ローラ２０７ｂに当接したときの状態を示している。また、図１９（ｂ）が、斜行補正されたカードＣがＡＤＦ５内の両方の搬送ローラ２０７ｂに当接した状態を示している。図２０は、小押出面１６３ｂに押し出されたカードＣがＡＤＦ５内の片方の搬送ローラ２０７ｂに当接するときの主走査方向における、小押出面１６３ｂの中央位置と、搬送ローラ２０７ｂにカードＣが最初に当接するローラ当接位置との位置関係の説明図。そして、図２０（ａ）が、カードＣが最初に当接したときの位置関係の説明図、図２０（ｂ）が、斜行が補正された後の状態を示した図である。
【００５０】
図１８に示す、小押出面１６３ｂを好適に備えることができる原稿搬送補助装置１００の基本構成としては、図１０等に示した原稿搬送補助装置１００が挙げられる。
具体的には、原稿搬送補助装置１００は、ＡＤＦ５のカード挿入口７に受け渡すカードＣを搬出する搬出口１１５と、受け渡すカードＣを前記給送口に向けて搬送する原稿搬送機構１６０と、受け渡すカードＣを載置可能なカード積載部１１２とを備えている。そして、ＡＤＦ５によるカード搬送を補助する。
また、カードＣの受け渡しに応じて搬出口１１５を開閉するゲート部品１２０を備え、原稿搬送機構１６０は、カードＣを押し出すことで搬送し、カード挿入口７（給送口）にカードＣを受け渡すカード後端押出部品を有している。
そして、ゲート部品１２０は、カード積載部１１２に当接することで搬出口１１５を閉じ、カード後端押出部品には、カード搬送方向のカードＣの後端部であるカード後端部ＣＥを押し出す小押出面１６３ｂが設けられている。
【００５１】
そして、カードＣの斜行を補正するため、図１８に示すように、小さな小押出面１６３ｂを用いることとした。
このように構成することで、上述したカードＣに当接する当接面が大きい大押出面１６３ａを用いる場合とは異なり、斜行したカードＣが搬送ローラ２０７ｂに当接したときに、その傾きを補正できる。
具体的には、図１８（ａ）に示すように、押出面を十分に小さくすれば、図１８（ｃ）に示すように図中、右回転（時計回り）のモーメントのみ発生する。このため、右回転のモーメントによりカードＣが回転して図１８（ｂ）に示すように真直ぐになり、カードＣのカード搬送方向の先端部である先端部ＣＦを両方の搬送ローラ２０７ｂに当接させることができる。つまり、カードＣの斜行を補正することができる。
【００５２】
しかし、単に押出面を小さくするだけでは、上述した大押出面１６３ａを用いる場合よりも、カードＣの斜行を補正することができるが、カードＣの斜行を十分に補正することができない場合もある。
このため、カードＣとの位置関係、及び最初に当接する搬送ローラ２０７ｂとの位置関係について検討した。
【００５３】
（カードＣとの位置関係）
まず、押し出すカードＣと小押出面１６３ｂとの位置関係について、図１９を用いて説明する。
カードＣとの位置関係としては、図１９（ａ）に示すように押し出すカードＣ（原稿）のカード搬送方向（副走査方向）の後端部ＣＥの中央位置に、主走査方向の小押出面１６３ｂの中央位置がくるように構成することとした。
このように構成することで、このように構成しない場合に比べて、図１９（ｂ）に示すように、良好にカードＣの斜行を補正することができる。
【００５４】
（搬送ローラ２０７ｂとの位置関係）
次に、初に当接する搬送ローラ２０７ｂとの位置関係について、図２０を用いて説明する。
初に当接する搬送ローラ２０７ｂとの位置関係としては、次のように構成することが望ましい。
図２０（ａ）に示すように小押出面１６３ｂの主走査方向の中央位置から、カードＣ（原稿）に当接する小押出面１６３ｂまでの距離が、小押出面１６３ｂの主走査方向の中央位置から、カードＣが当接する搬送ローラ２０７ｂの主走査方向までの距離よりも短くなる構成である。
このように構成することで、このように構成しない場合に比べて、図２０（ｂ）に示すように、良好にカードＣの斜行を補正することができる。
【００５５】
但し、上述した構成だけでは、押し出すカードＣの斜行を補正するときのカードＣの回転し易さが、カードＣの斜行状態により、大きくことなるおそれがある。
そこで、カードＣを押し出す押出面の好ましい構成について、更に検討を重ねて、カードＣを押し出す押出面を曲面形状とする構成、弾性部材を設けてカード後端面に合わせて小押出面を回動させる構成等の複数の好ましい構成を見出した。
【００５６】
（曲面形状とする構成）
まず、カードＣを押し出す押出面を曲面形状とする構成から、図を用いて説明する。
図２１は、カードＣを押し出す押出面を曲面形状とした構成の説明図である。
図２１に示すように、カードＣを押し出す押出面が曲面形状である曲押出面１６３とすることで、上述した問題を解決することができる。
具体的には、カードＣを押し出す押出面を、曲面形状を有した曲押出面１６３とすることで、カードＣの後端部ＣＥが曲面に沿って回転し易くなり、カードＣの先端部ＣＦを全ての搬送ローラ２０７ｂに当接させ易くなる。
【００５７】
（弾性部材を設ける構成）
次に、カードＣを押し出す小押出面１６３ｂを、弾性部材を設けてカード後端面に合わせて回動させる構成を、図を用いて説明する。
図２２は、弾性部材を設けてカード後端面に合わせて小押出面１６３ｂを回動させる構成の説明図であり、図２２（ａ）が、斜行したカードＣがＡＤＦ５内の片方の搬送ローラ２０７ｂに当接したときの状態を示している。また、図２２（ｂ）が、斜行補正されたカードＣがＡＤＦ５内の両方の搬送ローラ２０７ｂに当接した状態を示し、図２２（ｃ）が、小押出面１６３ｂを回動可能に支持する構成の説明図である。
【００５８】
小押出面１６３ｂが形成されたカード後端押出部品１１３ｂは、図２２（ｃ）に示すように弾性部材１６７で回動可能に支持されるとともに、カード搬送方向（副走査方向）に移動がガイド部材１６６により規制されている。
また、上述したように変位するために原稿搬送補助装置１００は、次のように構成されている。
カードＣをカード搬送方向に押し出すときの力を与えるためにユーザが操作して移動させるカード搬送用レバー１１１を含む第一部品と、カードＣを押し出すときに移動するカード後端押出部品１１３を含む第二部品とは別部品で構成されている。また、第二部品は、主走査方向における、カード後端押出部品１１３の略中央に設けられる弾性部材１６７を介して、第一部品及び他の部品に当接するように配置され、第一部品と第二部品の移動方向は、ガイド部材でカード搬送方向に規制されている。
そして、第二部品は、ガイド部材との間に第二部品の回動を許容する程度の隙間が形成されている。
【００５９】
このように構成することで、次のような効果を奏することができる。
カードＣの後端部ＣＥを押し出す小押出面１６３ｂがある程度自由になるため、積載されたカードＣが傾いていたとしても、小押出面１６３ｂの全体をカードＣの後端部ＣＥに押し付けることができ、カードＣの後端部ＣＥに搬送力を伝え易くなる。
ここで、上述した構成は、小押出面１６３ｂを設けたカード後端押出部品１１３だけではなく、曲押出面１６３を設けたカード後端押出部品１１３にも適用可能である。
但し、カードＣの後端部ＣＥに押し付けることができるのは、曲押出面１６３のいずれかの部分となる。
また、上述した構成に用いる弾性部材１６７としては、圧縮バネが好ましい。
このように構成することで、単純な構成で低コスト、且つ省スペースな原稿搬送補助装置１００を提供できる。
【００６０】
また、本実施例の原稿搬送補助装置１００では、搬送するカードＶが樹脂製のカードである
これによれば、樹脂が一般的なカード原稿の材質であり、多くのカード原稿を自動原稿搬送装置に好適に受け渡すことができる。
【００６１】
また、本実施例の原稿搬送補助装置１００は、搬送するカードＣの厚さが０．４８[ｍｍ]以上０．７８[ｍｍ]以下に設定することが好ましい。
このように構成することで、０．４８[ｍｍ]以上０．７８[ｍｍ]以下の様々な厚さのカードＣも確実に搬送できる。
より具体的には、ＪＩＳII規格準拠厚さ０．４８[ｍｍ]、及び０．７８[ｍｍ]の厚さのカード等とともに、病院の診察券に多い０．５[ｍｍ]程度の厚さの原稿にも対応できる。
【００６２】
また、原稿搬送補助装置１００は、搬送するカードＣの縦と横の寸法が、それぞれ５３．９８［ｍｍ］と８５．６０［ｍｍ］であることが好ましい。
このように構成することで、次のような効果を奏することができる。
上述したカードＣの寸法は、ＡＤＦ５の原稿搬送経路５５の中途部近傍に設けられたカード挿入口７に向けて搬送することが多い、ＪＩＳII規格準拠のカード寸法である。
このため、病院の診察券、クレジットカード、キャッシュカード、運転免許証、マイナンバーカード等の多くを、好適に搬送できる。
【００６３】
また、原稿搬送補助装置１００は、搬送する原稿が「キャリアシート」、「プラスチックカード」、「はがき」、「封筒」、「帳票」、「クリアファイル」、及び「名刺」の少なくともいずれかであることが好ましい。
このように構成することで、一般的なシート原稿Ｓよりも厚さが厚い原稿であっても、ＡＤＦ５の原稿搬送経路５５の中途部近傍に設けられたカード挿入口７に向けて、好適に搬送できる。
【００６４】
また、原稿搬送補助装置１００は、ＡＤＦ５に対して着脱可能に構成されることが好ましい。
このように構成することで、原稿搬送補助装置１００を用いない場合にＡＤＦ５から取り外して、取り付けるＡＤＦ５、読取装置６、及び複写機１を小型化できる。
【００６５】
また、原稿搬送補助装置１００は、ＡＤＦ５に対して着脱可能に構成されている。
このように構成することで、原稿搬送補助装置１００を用いない場合に取り外して、取り付けるＡＤＦ５等の装置（ＡＤＦ５、読取装置６、及び複写機１）を小型化できる。
【００６６】
また、本実施例のＡＤＦ５は、原稿搬送経路５５の中途部近傍に設けられたカード挿入口７に向けてカードＣを搬送する原稿搬送補助手段として、上述したいずれかの原稿搬送補助装置１００を備える。
このように構成することで、上述したいずれかの原稿搬送補助装置１００と同様な効果を奏することができるＡＤＦ５を提供できる。
【００６７】
また、本実施例の読取装置６は、原稿搬送経路５５の中途部近傍に設けられたカード挿入口７に向けてカードＣを搬送する原稿搬送補助手段として、上述したいずれかの原稿搬送補助装置１００を設けるＡＤＦ５を備える。
このように構成することで、上述したいずれかの原稿搬送補助装置１００を設けるＡＤＦ５と同様な効果を奏することができる読取装置６を提供できる。
【００６８】
また、本実施例の複写機１は、原稿搬送経路５５の中途部近傍に設けられたカード挿入口７に向けてカードＣを搬送する原稿搬送補助手段として、上述したいずれかの原稿搬送補助装置１００を設けるＡＤＦ５を備える。
このように構成することで、上述したいずれかの原稿搬送補助装置１００を設けるＡＤＦ５と同様な効果を奏することができる複写機１を提供できる。
【００６９】
（実施例２）
次に、本実施形態のＡＤＦ５（読取装置６）の原稿搬送経路５５の中途部近傍に設けられたカード挿入口７に向けてカードＣを搬送する原稿搬送補助装置１００の実施例２について、図を用いて説明する。
本実施例の原稿搬送補助装置１００は、上述した実施例１と、基本構成は同様であるが、カード搬送におけるカードＣの不送りに係る、カードＣを押し出す押出面の構成について、より好適な構成例を挙げていることに係る点のみ異なる。
したがって、実施例１と同様な構成、及びその効果については、適宜、省略して説明するとともに、特に、区別する必要がない限り、同一の部材については、同一の符号を付して説明する。
また、本実施例の特徴的な構成は、曲押出面１６３に限らず、大押出面１６３ａや小押出面１６３ｂにも適用可能であるが、以下の説明では、曲押出面１６３に適用した例について説明する。
【００７０】
図２３は、本実施例に係る、カードＣを押し出す曲押出面１６３の高さａと、カードＣの先端部ＣＦ及び後端部ＣＥの反り量ｂの関係の説明図である。図２４は、カードＣを載置する載置面１０５が曲押出面１６３の高さ基準となり、曲押出面１６３が載置面１０５に対して直交する従来の構成の説明図であり、図２４（ａ）が、積載ケース１０２の断面図、図２４（ｂ）が曲押出面１６３回りの拡大断面である。図２５は、本実施例に係る、カードＣの載置面１０５が傾斜面基準、曲押出面１６３がカードＣの載置面１０５に対して９０［°］以下とした構成の断面説明図である。
【００７１】
図２６は、カードＣをＡＤＦ５の搬送ローラ２０７のニップ部に搬送するときの、曲押出面１６３側でのカード（原稿）搬送高さ位置と、ニップ部Ｎの高さ位置の説明図である。また、図２６（ａ）が、カード搬送高さ位置がニップ部Ｎの高さ位置よりも低い位置にある場合の断面説明図である。そして、図２６（ｂ）が、図２６（ａ）を簡略化した説明図、図２６（ｃ）が、カード搬送高さ位置がニップ部Ｎの高さ位置よりも高い位置にある場合の簡略化した説明図である。
【００７２】
カード搬送を行う上で、カード不送りが発生する場合がある。
その要因としては、カード端部が、カード厚さ方向上方向に反ったカードを搬送するときには、図２３に示すように曲押出面１６３の載置面１０５からの高さ：ａが、反り量：ｂに対してａ＜ｂとなると、曲押出面１６３がカードＣの後端部ＣＥにひっかからない。このため、曲押出面１６３がカードＣの下部分に潜り込んでしまい、カードＣの不送りが発生してしまう。
また、図２４（ｂ）に示すように、カードＣの上方への反り量が大きくなるほど、カードＣの後端部ＣＥに接触する曲押出面１６３の接触高さも少なくなり、カードＣが逃げ易くなる。
そして、従来は、図２４（ａ）、図２４（ｂ）に示すように、カードＣを積載する載置面１０５が曲押出面１６３（押出面）の高さ基準となり、曲押出面１６３（押出面）がカードＣを載置する載置面１０５に対して直交するように構成されていた。
【００７３】
このカード不送りの発生を抑制するための構成を検討したところ、次の改良点を見出した。
（１）傾斜面をつけ、曲押出面１６３と傾斜面の角度を９０[°]以下にすることで、カードＣを押し出す曲押出面１６３をカードＣの後端部ＣＥにひっかけ易くでき、カードＣの後端部ＣＥを上方向から押さえつける方向に搬送力がカードＣに伝わるとうになる。このため、カードＣが曲押出面１６３の上に逃げ難くなる。
【００７４】
（２）従来の図の構成では、カードＣの載置面１０５が曲押出面１６３の高さの基準位置になっており、カードＣの載置面１０５の部品と曲押出面１６３の部品は同一部品でないため高さの精度が良くない。
したがって、曲押出面１６３の高さの基準と曲押出面１６３を同一部品にすることで、曲押出面１６３の高さの精度を良くすることができる。このために、曲押出面１６３と斜面の間の稜線をカード載置位置よりも高くすることで斜面を曲押出面１６３の高さ基準とすることができ、曲押出面１６３の高さの基準と曲押出面１６３を同一部品にすることができる。
【００７５】
ここで、１枚ずつカードＣの後端部ＣＥを押出す構成では曲押出面１６３の高さ精度は重要である。なぜなら、カード厚さ（例えば代表的な厚さの０．７６［ｍｍ］）のカードを１枚ずつ搬送するのに、いちどに２枚以上搬送してしまう重送を防ぐため、曲押出面高さは０．７６［ｍｍ］を超えてはならず、かといって曲押出面１６３の高さが低すぎるとカードＣの後端部ＣＥ部へのひっかかりが少なくなるため、不送りが発生しやすくなってしまう。
したがって、曲押出面１６３の高さはできるだけ高くしつつ、カード厚さを超えないものが理想である。
また、厚さ方向であって下方に反ったカードＣについては、カードＣの後端部ＣＥがカードＣの載置面１０５上にある（＝後端部ＣＥの反り量０）ので、不送りは発生しないと考えられる。
【００７６】
そこで、本実施例では、図２５に示すように構成することとした。
具体的には、カード後端押出部品１１３に設けられた曲押出面１６３は、曲押出面１６３からカード搬送方向への下り勾配がついた傾斜面部に対して、略直交する角度、又は傾斜面部から９０[°]未満の角度に形成した。そして原稿搬送補助装置１００でカードＣを搬送するカード搬送面に対する、傾斜面部と曲押出面１６３の間の稜線の少なくとも一部分の高さ位置は、カードＣの載置面１０５よりも高くなるように構成した。
このように構成することで、反ったカードＣを搬送するときの、カードＣの不送りを防ぐことができる。
【００７７】
また、本実例の原稿搬送補助装置１００では、曲押出面１６３を設けたカード後端押出部品１１３に係る構成を、次のように構成することとした。
原稿搬送補助装置１００でカードＣを搬送するカード搬送面に対する、カードＣの搬送高さ位置は、ＡＤＦ５の給送口の近傍に配置されている搬送ローラ２０７ｂのニップ部Ｎの高さ位置と、カード後端押出部品１１３に設けられた曲押出面１６３の根元の高さ位置との間にあるように構成した。
これにより、図２６（ａ）に示すように、ニップ部Ｎの高さ位置がカード搬送高さ位置よりも高い位置にあると、カードＣの先端部ＣＦがニップ部Ｎに当接するときに、後端部ＣＥが曲押出面１６３の根元部に押し付けられる。したがって、この構成により、カードＣの後端部ＣＥの浮き量を少なくすることができ、より不送りが発生しにくくなる。
【００７８】
以上、本実施形態について、図面を参照しながら説明してきたが、具体的な構成は、上述した本実施形態の原稿搬送補助装置１００を備えた構成に限られるものではなく、要旨を逸脱しない範囲の設計の変更等を行っても良い。
本実施形態では、電子写真方式の複写機１の読取装置６が有するＡＤＦ５（手差しトレイ６１）に取り付けた原稿搬送補助装置１００に適用した例について説明したが、このような構成に限定されるものではない。例えば、インクジェット方式（ジェルジェット方式）の複写機にも、適用可能である。
また、読取装置６が有するＡＤＦ５の原稿搬送を補助する原稿搬送補助装置１００に適用した例について説明したが、このような構成に限定されるものではない。例えば、カード等を含むシートを搬送するシート搬送装置のシート搬送を補助する構成にも、適用可能である。
【００７９】
以上に説明したものは一例であり、次の態様毎に特有の効果を奏する。
（態様１）
ＡＤＦ５などの自動原稿搬送装置のカード挿入口７などの給送口に受け渡すカードＣなどの原稿を搬出する搬出口１１５などの搬出口と、受け渡す原稿を前記給送口に向けて搬送する原稿搬送機構１６０などの搬送手段と、受け渡す原稿を載置可能なカード積載部１１２などの原稿載置部とを備え、前記自動原稿搬送装置による原稿搬送を補助する原稿搬送補助装置１００などの原稿搬送補助装置において、原稿の受け渡しに応じて前記搬出口を開閉するゲート部品１２０などの開閉部材を備え、前記搬送手段は、原稿を押し出すことで搬送し、前記給送口に原稿を受け渡すカード後端押出部品１１３などの原稿端押出部材を有し、前記開閉部材は、前記原稿載置部に当接することで前記搬出口を閉じ、前記原稿端押出部材には、原稿搬送方向の原稿の後端部である後端部ＣＥなどの原稿後端部を押し出す曲押出面１６３などの曲面部が設けられていることを特徴とする。
【００８０】
これによれば、次のような効果を奏することができる。
従来の搬送積載装置の構成を適用した原稿搬送補助装置では、原稿載置部に積載した原稿の搬出口側近傍と搬出口の間に、１９０ａなどの搬送ローラを２つ配置しており、原稿を給送口に受け渡す搬出口から原稿載置部が離れて配置されている。このため、原稿を搬出口まで２つの搬送ローラで搬送するときに、原稿に斜行（スキュー）が生じ易い。
また、給送口に受け渡すときに、少なくとも搬出口側の搬送ローラと、これに対向する対向ローラ１９１ｂなどの対向ローラとで原稿を挟持する。このため、受け渡された原稿が最初に当接する自動原稿搬送装置の搬送ローラに、受け渡される原稿が当接しても、原稿の斜行が補正され難い。
これらのため、従来の搬送積載装置の構成を適用した原稿搬送補助装置では、原稿を搬送するときに原稿の斜行が生じ易いとともに、自動原稿搬送装置に受け渡すときに原稿の斜行補正（スキュー補正）も十分に行うことができないという問題があった。
【００８１】
一方、本態様の原稿搬送補助装置では、開閉部材が原稿載置部に当接することで搬出口を閉じる程、原稿載置部と搬出口は近くに配置されているとともに、原稿を押し出して給送口に原稿を受け渡す原稿端押出部材も備えている。したがって、原稿の斜行が生じ易い従来の構成のように、原稿載置部と搬出口を離したり、原稿載置部と搬出口との間に２つの搬送ローラや対向ローラを設けたりする必要がない。
そして、原稿に当接して押し出す曲面部を原稿後端部に突き当てたときの、原稿後端部の稜線の長さ方向の原稿後端部と曲面部それぞれの中央位置を略一致させることもできる。また、原稿後端部に当接する当接部が曲面部であることで、原稿後端部が曲面に沿って回転し易く、自動原稿搬送装置の給送口の近傍に設けられ、原稿搬送補助装置から受け渡される原稿が最初に当接する搬送ローラの全てに、受け渡す原稿の先端部ＣＦなどの先端部を当接させ易い。
【００８２】
これらのため、原稿載置部から、自動原稿搬送装置の搬送ローラまで原稿を搬送するときに原稿の斜行が生じ難いとともに、搬送する原稿が、自動原稿搬送装置の搬送ローラに当接したときに、原稿の斜行を補正することもできる。
よって、従来よりも、原稿を搬送するときに原稿の斜行が生じ難いとともに、自動原稿搬送装置に受け渡すときに原稿の斜行補正を好適に行うことができる原稿搬送補助装置を確実に提供できる。
【００８３】
（態様２）
（態様１）において、原稿を受け渡すときに最初に当接する、前記自動原稿搬送装置の前記給送口の近傍に設けられた搬送ローラに原稿の一部分が当接した状態で、原稿搬送方向に直交する原稿幅方向における、前記搬送ローラと原稿の当接位置から前記曲面部の中央位置までの距離よりも、前記原稿後端部に当接する前記曲面部の当接位置から前記曲面部の中央位置までの距離が短いことを特徴とする。
【００８４】
これによれば、従来よりも、原稿を搬送するときに原稿の斜行が生じ難いとともに、自動原稿搬送装置に受け渡すときに原稿の斜行補正を好適に行うことができる原稿搬送補助装置を確実に提供できる。
【００８５】
（態様３）
（態様１）又は（態様２）において、前記曲面部は、原稿搬送方向に直交する原稿幅方向における、前記原稿載置部に積載した原稿の前記原稿後端部の略中央に前記曲面部の略中央が当接するように構成されていることを特徴とする。
これによれば、原稿を押し出すときに生じる原稿の傾行を低減することができる。
【００８６】
（態様４）
（態様１）乃至（態様３）のいずれかにおいて、前記給送口は、前記自動原稿搬送装置の搬送経路の中途部近傍に設けられ、前記原稿載置部の原稿搬送面に向けて原稿を加圧する加圧機構を備えていることを特徴とする。
これによれば、次のような効果を奏することができる。
搬送経路の中途部近傍に給送口を設ける自動原稿搬送装置の原稿搬送を補助することができるとともに、多少、反った原稿であっても加圧機構で加圧して補正することで、自動原稿搬送装置の給送口への受け渡しを良好に行える。
【００８７】
（態様５）
（態様１）乃至（態様４）のいずれかにおいて、原稿を原稿搬送方向に押し出すときの力を与えるために操作者が操作して移動させる原稿搬送用レバーを含む第一部品と、原稿を押し出すときに移動する前記原稿端押出部材を含む第二部品とは別部品で構成され、前記第二部品は、原稿搬送方向に直交する原稿幅方向における、前記原稿端押出部材の略中央に設けられる弾性部材１６７などの弾性部材を介して、前記第一部品及び他の部品に当接するように配置され、前記第一部品と前記第二部品の移動方向は、ガイド部材１６６などのガイド部材で原稿搬送方向に規制されており、前記第二部品は、前記ガイド部材との間に前記第二部品の回動を許容する程度の隙間が形成されていることを特徴とする。
【００８８】
これによれば、次のような効果を奏することができる。
原稿搬送方向後端を押し出す曲面部がある程度自由になるため、積載された原稿が傾いていたとしても、曲面部のいずれかの部分を原稿搬送方向後端に押し付けることができ、原稿後端部に搬送力を伝え易くなる。
【００８９】
（態様６）
（態様５）において、前記弾性部材は、圧縮ばねであることを特徴とする。
これによれば、単純な構成で低コスト、且つ省スペースな原稿搬送補助装置を提供できる。
【００９０】
（態様７）
（態様１）乃至（態様６）のいずれかにおいて、前記原稿端押出部材に設けられた前記曲面部は、該曲面部から原稿搬送方向への下り勾配がついた傾斜面部に対して、略直交する角度、又は前記傾斜面部から９０[°]未満の角度に形成されており、当該原稿搬送補助装置で原稿を搬送する原稿搬送面に対する、前記傾斜面部と前記曲面部の間の稜線の少なくとも一部分の高さ位置は、載置面１０５などの原稿載置面よりも高いことを特徴とする。
これによれば、反った原稿を搬送するときの、原稿の不送りを防ぐことができる。
【００９１】
（態様８）
（態様１）乃至（態様７）のいずれかにおいて、当該原稿搬送補助装置で原稿を搬送する原稿搬送面に対する、原稿の搬送高さ位置は、前記自動原稿搬送装置の前記給送口の近傍に配置されている搬送ローラ対のニップ部の高さ位置と、前記原稿端押出部材に設けられた前記曲面部の根元の高さ位置との間にあることを特徴とする。
これによれば、次のような効果を奏することができる。
搬送ローラ対のニップ部の高さ位置が原稿搬送高さ位置よりも高い位置にあると、原稿先端部のいずれかがニップ部に当接するときに、原稿後端部が曲面部のいずれかの根元部に押し付けられる。
してたがって、本態様の構成により、原稿後端部の浮き量を少なくすることができ、より不送りが発生し難くなる。
【００９２】
（態様９）
（態様１）乃至（態様８）のいずれかにおいて、搬送する原稿が樹脂製のカードであることを特徴とする。
これによれば、樹脂が一般的なカード原稿の材質であり、多くのカード原稿を自動原稿搬送装置に好適に受け渡すことができる。
【００９３】
（態様１０）
（態様１）乃至（態様９）のいずれかにおいて、搬送する原稿の厚さが０．４８[ｍｍ]以上０．７８[ｍｍ]以下であることを特徴とする。
これによれば、０．４８[ｍｍ]以上０．７８[ｍｍ]以下の様々な厚さの原稿も確実に搬送できる。より具体的には、ＪＩＳII規格準拠厚さ０．４８[ｍｍ]、及び０．７８[ｍｍ]の厚さのカード等とともに、病院の診察券に多い０．５[ｍｍ]程度の厚さの原稿にも対応できる。
【００９４】
（態様１１）
（態様１）乃至（態様１０）のいずれかにおいて、搬送する原稿の縦と横の寸法が、それぞれ５３．９８［ｍｍ］と８５．６０［ｍｍ］であることを特徴とする。
これによれば、次のような効果を奏することができる。
自動原稿搬送装置の搬送経路の中途部近傍に設けられた給送口に向けて搬送することが多い、ＪＩＳII規格準拠のカード寸法であり、病院の診察券、クレジットカード、キャッシュカード、運転免許証、マイナンバーカード等の多くを、好適に搬送できる。
【００９５】
（態様１２）
（態様１）乃至（態様１１）のいずれかにおいて、搬送する原稿が「キャリアシート」、「プラスチックカード」、「はがき」、「封筒」、「帳票」、「クリアファイル」、及び「名刺」の少なくともいずれかであることを特徴とする。
これによれば、一般的なシート原稿Ｓなどの原稿よりも厚さが厚いカードＣなどの原稿であっても、自動原稿搬送装置の搬送経路の中途部近傍に設けられた給送口に向けて、好適に搬送できる。
【００９６】
（態様１３）
（態様１）乃至（態様１２）のいずれかにおいて、前記自動原稿搬送装置に対して着脱可能に構成されていることを特徴とする。
これによれば、原稿搬送補助装置を用いない場合に取り外して、取り付ける自動原稿搬送装置等の装置を小型化できる。
【００９７】
（態様１４）
原稿搬送経路５５などの搬送経路の中途部近傍に設けられたカード挿入口７などの給送口に向けてカードＣなどの原稿を搬送する原稿搬送補助手段を備えるＡＤＦ５などの自動原稿搬送装置において、前記原稿搬送補助手段として、（態様１）乃至（態様１３）のいずれかの原稿搬送補助装置１００などの原稿搬送補助装置を備えることを特徴とする。
これによれば、（態様１）乃至（態様１３）のいずれかの原稿搬送補助装置と同様な効果を奏することができる自動原稿搬送装置を提供できる。
【００９８】
（態様１５）
原稿搬送経路５５などの搬送経路の中途部近傍に設けられたカード挿入口７などの給送口に向けて原稿を搬送する原稿搬送補助手段を備えた読取装置６などの原稿読取装置において、前記原稿搬送補助手段として、（態様１）乃至（態様１３）のいずれかの原稿搬送補助装置１００などの原稿搬送補助装置を備えることを特徴とする。
これによれば、（態様１）乃至（態様１３）のいずれかの原稿搬送補助装置を設ける自動原稿搬送装置と同様な効果を奏することができる原稿読取装置を提供できる。
【００９９】
（態様１６）
原稿搬送経路５５などの搬送経路の中途部近傍に設けられたカード挿入口７などの給送口に向けて原稿を搬送する原稿搬送補助手段を備える複写機１などの画像形成装置において、前記原稿搬送補助手段として、（態様１）乃至（態様１３）のいずれかの原稿搬送補助装置１００などの原稿搬送補助装置を備えることを特徴とする。
これによれば、（態様１）乃至（態様１３）のいずれかの原稿搬送補助装置を設ける自動原稿搬送装置と同様な効果を奏することができる画像形成装置を提供できる。
【符号の説明】
【０１００】
１    複写機
４    画像読取部
５    ＡＤＦ
６    読取装置
７    カード挿入口
６４    手差し原稿搬送経路
１００    原稿搬送補助装置
１０１    加圧機構
１０２    積載ケース
１０５    載置面
１１１    カード搬送用レバー
１１２    カード積載部
１１３    カード後端押出部品
１１３ｂ  カード後端押出部品（小押出面）
１１５    搬出口
１１８    加圧板
１２０    ゲート部品
１３０    ガイド部
１４０    圧縮バネ
１５０    開閉機構
１６０    原稿搬送機構
１６３    曲押出面
１６３ａ  大押出面
１６３ｂ  小押出面
１６７    弾性部材
Ｃ    カード
Ｎ    ニップ部
【先行技術文献】
【特許文献】
【０１０１】
【特許文献１】特開２０１２−２３０４８５号公報
【図１】
2019163127.tif 000003
【図２】
2019163127.tif 000004
【図３】
2019163127.tif 000005
【図４】
2019163127.tif 000006
【図５】
2019163127.tif 000007
【図６】
2019163127.tif 000008
【図７】
2019163127.tif 000009
【図８】
2019163127.tif 000010
【図９】
2019163127.tif 000011
【図１０】
2019163127.tif 000012
【図１１】
2019163127.tif 000013
【図１２】
2019163127.tif 000014
【図１３】
2019163127.tif 000015
【図１４】
2019163127.tif 000016
【図１５】
2019163127.tif 000017
【図１６】
2019163127.tif 000018
【図１７】
2019163127.tif 000019
【図１８】
2019163127.tif 000020
【図１９】
2019163127.tif 000021
【図２０】
2019163127.tif 000022
【図２１】
2019163127.tif 000023
【図２２】
2019163127.tif 000024
【図２３】
2019163127.tif 000025
【図２４】
2019163127.tif 000026
【図２５】
2019163127.tif 000027
【図２６】
2019163127.tif 000028